(57)【要約】【課題】投入口カバーを交換する際、交換作業を容易に行うことのできる紙幣識別装置を提供する。【解決手段】投入口カバー２０に設けた第１及び第２の係止部２１，２２を本体ケース１０に係止することにより、投入口カバー２０を本体ケース１０に着脱自在に取付けるようにしたので、投入口カバー２０を工具等を用いることなく容易に着脱することができる。この場合、第２の係止部２２を本体ケース１０側との接触によって弾性変形しながら本体ケース１０側に係止するように形成したので、第２の係止部２２を直接操作することなく投入口カバー２０を容易に取付けることができる。【選択図】  図４
2005010845.tif 000002
【特許請求の範囲】
【請求項１】
紙幣投入口に投入された紙幣を識別する識別手段と、識別した紙幣を識別装置本体内の所定位置まで搬送する搬送手段と、所定位置まで搬送された紙幣を収納する紙幣収納部とを備え、識別装置本体の所定位置には紙幣投入口を有する投入口部材を取付けた紙幣識別装置において、
前記投入口部材に識別装置本体の所定部分に係止することによって投入口部材を識別装置本体に係止する係止部を設け、
係止部を識別装置本体側に着脱自在に係止するように形成した
ことを特徴とする紙幣識別装置。
【請求項２】
前記係止部を投入口部材の一端側と他端側にそれぞれ設けるとともに、
一方の係止部を識別装置本体側に係止した状態で他方の係止部を識別装置本体側に係止可能に構成し、
他方の係止部を識別装置本体側との接触によって所定方向に弾性変形しながら識別装置本体に係止するように形成した
ことを特徴とする請求項１記載の紙幣識別装置。
【請求項３】
前記他方の係止部を投入口部材内に配置するとともに、
識別装置本体または投入口部材には他方の係止部を外部から係止解除方向に操作可能な孔を設けた
ことを特徴とする請求項２記載の紙幣識別装置。
【請求項４】
前記孔を識別装置本体または投入口部材の二箇所以上に設けた
ことを特徴とする請求項３記載の紙幣識別装置。
【請求項５】
前記識別装置本体の孔を識別装置本体内の排水が可能な位置に設けた
ことを特徴とする請求項３または４記載の紙幣識別装置。
【請求項６】
前記投入口部材に投入口部材内を排水可能な排水口を設けた
ことを特徴とする請求項１、２、３、４または５記載の紙幣識別装置。
【請求項７】
前記投入口部材に紙幣の投入可否を表示する表示部を設けた
ことを特徴とする請求項１、２、３、４、５または６記載の紙幣識別装置。
【発明の詳細な説明】
【０００１】
【発明の属する技術分野】
本発明は、紙幣の使用可能な自動販売機等に用いられる紙幣識別装置に関するものである。
【０００２】
【従来の技術】
従来、この種の紙幣識別装置としては、紙幣投入口に投入された紙幣を識別する識別部と、識別した紙幣を識別装置本体内の所定位置まで搬送する搬送機構と、所定位置まで搬送した紙幣を所定方向に押圧する押圧機構と、押圧機構によって押圧された紙幣を受容する紙幣収納ユニットとを備え、識別装置本体の所定位置には紙幣投入口を有する投入口カバーを取付けたものが知られている（例えば、特許文献１参照。）。
【０００３】
【特許文献１】
米国特許第５９６４３３６号明細書
【０００４】
【発明が解決しようとする課題】
しかしながら、従来の紙幣識別装置では、投入口カバーを識別装置本体にネジ止めによって取付けているため、投入口カバーが損傷や変色を生じて交換が必要となった場合には、工具を用いて投入口カバーのネジを取外さなければならず、投入口カバーの交換作業が繁雑になるという問題点があった。
【０００５】
本発明は前記問題点に鑑みてなされたものであり、その目的とするところは、投入口カバーを交換する際、交換作業を容易に行うことのできる紙幣識別装置を提供することにある。
【０００６】
【課題を解決するための手段】
本発明は前記目的を達成するために、請求項１では、紙幣投入口に投入された紙幣を識別する識別手段と、識別した紙幣を識別装置本体内の所定位置まで搬送する搬送手段と、所定位置まで搬送された紙幣を収納する紙幣収納部とを備え、識別装置本体の所定位置には紙幣投入口を有する投入口部材を取付けた紙幣識別装置において、前記投入口部材に識別装置本体の所定部分に係止することによって投入口部材を識別装置本体に係止する係止部を設け、係止部を識別装置本体側に着脱自在に係止するように形成している。これにより、投入口部材が係止部によって識別装置本体に着脱自在に取付けられることから、工具等を用いることなく投入口部材の着脱が可能となる。
【０００７】
また、請求項２では、請求項１記載の紙幣識別装置において、前記係止部を投入口部材の一端側と他端側にそれぞれ設けるとともに、一方の係止部を識別装置本体側に係止した状態で他方の係止部を識別装置本体側に係止可能に構成し、他方の係止部を識別装置本体側との接触によって所定方向に弾性変形しながら識別装置本体に係止するように形成している。これにより、請求項１の作用に加え、他方の係止部が弾性変形しながら識別装置本体に係止することから、他方の係止部を直接操作することなく投入口部材が取付けられる。
【０００８】
また、請求項３では、請求項２記載の紙幣識別装置において、前記他方の係止部を投入口部材内に配置するとともに、識別装置本体または投入口部材には他方の係止部を外部から係止解除方向に操作可能な孔を設けている。これにより、請求項２の作用に加え、他方の係止部が投入口部材内に配置されていることから、他方の係止部が外部に露出することがない。この場合、他方の係止部は識別装置本体または投入口部材に設けた孔を介して係止解除方向に操作することができるので、孔に指先を挿入することによって投入口部材が容易に取外される。
【０００９】
また、請求項４では、請求項３記載の紙幣識別装置において、前記孔を識別装置本体または投入口部材の二箇所以上に設けている。これにより、請求項３の作用に加え、投入口部材内の係止部を複数の孔を介して係止解除方向に操作可能となる。
【００１０】
また、請求項５では、請求項３または４記載の紙幣識別装置において、前記識別装置本体の孔を識別装置本体内の排水が可能な位置に設けている。これにより、請求項３または４の作用に加え、識別装置本体内に雨水等が侵入した場合でも、識別装置本体の孔から容易に排水される。
【００１１】
また、請求項６では、請求項１、２、３、４または５記載の紙幣識別装置において、前記投入口部材に投入口部材内を排水可能な排水口を設けている。これにより、請求項１、２、３、４または５の作用に加え、投入口部材内に雨水等が侵入した場合でも、投入口部材の排水口から容易に排水される。
【００１２】
また、請求項７では、請求項１、２、３、４、５または６記載の紙幣識別装置において、前記投入口部材に紙幣の投入可否を表示する表示部を設けている。これにより、請求項１、２、３、４、５または６の作用に加え、紙幣の投入可否を投入口部材の表示部によって視覚的に確認することが可能となる。
【００１３】
【発明の実施の形態】
図１乃至図８は本発明の一実施形態を示すもので、図１は紙幣識別装置の斜視図、図２はその側面断面図、図３は本体ケース及び投入口カバーの正面側分解斜視図、図４はその背面側分解斜視図、図５はその底面側分解斜視図、図６は本体ケース、搬送ユニット及び押圧ユニットの正面側分解斜視図、図７はその背面側分解斜視図、図８は押圧ユニットの分解斜視図である。
【００１４】
この紙幣識別装置は、識別装置本体をなす本体ケース１０と、投入口部材としての投入口カバー２０と、投入された紙幣を搬送する第１及び第２の搬送ユニット３０，４０と、投入された紙幣を識別する識別部５０と、各搬送ユニット３０，４０によって所定位置まで搬送した紙幣を後方に押圧する押圧ユニット６０と、押圧ユニット６０によって押圧された紙幣を収容する紙幣収納ユニット７０とから構成されている。
【００１５】
本体ケース１０は背面側を開口した箱状に形成され、その前面下部には投入口カバー２０が取付けられる取付板１１がネジ１２によって固定されている。また、取付板１１には投入口カバー２０によって覆われる開口部１１ａが設けられ、開口部１１ａの上方には投入口カバー２０を係止するための孔１１ｂが幅方向二箇所に設けられている。本体ケース１０の底面には投入口カバー２０を取外すための孔１０ａが設けられ、孔１０ａは指先を挿入可能な大きさに形成されている。この場合、孔１０ａは本体ケース１０内の排水が可能な位置、即ち本体ケース１０の底面前端側に設けられている。また、本体ケース１０の前面上部にはメンテナンス用の開閉カバー１３が設けられている。
【００１６】
投入口カバー２０は正面形状が略四角形をなす合成樹脂の成型品からなり、その周縁には本体ケース１０側に当接するフランジ部２０ａが設けられている。投入口カバー２０の前面は前方に向かって下り傾斜をなすように突出しており、その前面下端側には紙幣投入口２０ｂが設けられている。また、投入口カバー２０の上端側及び下端側には本体ケース１０に係止する第１の係止部２１及び第２の係止部２２がそれぞれ幅方向一対ずつ設けられている。第１の係止部２１は上方のフランジ部２０ａに設けられ、取付板１１の孔１１ｂの縁部に係止できるように上方に向かってＬ字状に屈曲している。第２の係止部２２は投入口カバー２０の内面から後方に向かって延びるとともに、上下方向に弾性変形可能に形成されている。第２の係止部２２の先端側には取付板１１の開口部１１ａの下端縁に係止する爪部２２ａが設けられ、爪部２２ａは開口部１１ａの縁部に対して傾斜をなすように形成されている。この場合、各第２の係止部２２の爪部２２ａは、本体ケース１０の孔１０ａに対応する位置に設けられている。また、下方のフランジ部２０ａには上下方向に延びる溝２０ｃが幅方向二箇所に設けられ、各溝２０ｃは投入口カバー２０内を排水可能な排水口を形成している。更に、投入口カバー２０には紙幣の投入可否を表示する表示部２３が幅方向二箇所に設けられ、各表示部２３は紙幣投入口２０ｂの上方に配置されている。各表示部２３は投入口カバー２０に設けた孔に導光性部材２４の一端面を配置してなり、導光性部材２４の他端面は本体ケース１０内のＬＥＤ（図示せず）に臨むように配置されている。即ち、ＬＥＤが発光すると、各表示部２３は導光性部材２４を介してＬＥＤの光により点灯するようになっている。この場合、紙幣識別装置側で異常が発生すると、異常信号が図示しない主制御部に出力され、主制御部により異常の種類に応じて紙幣の投入可否を判定した結果、投入可能な場合には各表示部２３を点灯し、投入不能な場合には各表示部２３を消灯するようになっている。
【００１７】
第１の搬送ユニット３０は、第２の搬送ユニット４０の上方に配置されるユニット本体３１と、ユニット本体３１に回動自在に取付けられた複数のガイドローラ３２と、各ガイドローラ３２に巻き掛けられた無端状のベルト３３とからなり、各ガイドローラ３２及びベルト３３はユニット本体３１の両側部にそれぞれ設けられている。各ガイドローラ３２はユニット本体３１の背面側及び下面側に配置され、各ベルト３３によって互いに連動して回転するようになっている。また、ユニット本体３１の背面側上部に配置された各ガイドローラ３２は互いにシャフト３４を介して連結されており、その一方には歯車３５が取付けられている。即ち、各ガイドローラ３２は歯車３５から入力される回転力によってそれぞれ回動するようになっている。この場合、第１の搬送ユニット３０は押圧ユニット６０側に配置されたモータ３６によって駆動されるようになっており、モータ３６の回転力は押圧ユニット６０側に配置された歯車３７を介して第１の搬送ユニット３０の歯車３５に伝達されるようになっている。
【００１８】
第２の搬送ユニット４０は、第１の搬送ユニット３０の下方に配置されるユニット本体４１と、ユニット本体４１に回動自在に取付けられた複数のガイドローラ４２とからなり、各ガイドローラ４２はユニット本体４１の両側部にそれぞれ設けられている。ユニット本体４１は側面形状が略Ｌ字状をなすように形成され、第１の搬送ユニット３０のユニット本体３１の背面側及び下面側と対向することにより、ユニット本体３１との間に前後方向及び上下方向に延びる紙幣搬送路が形成されるようになっている。
【００１９】
識別部５０は、第２の搬送ユニット４０側に設けられた複数の発光体５１と、第１の搬送ユニット３０側に設けられた複数の受光体５２とからなり、各発光体５１及び各受光体５２は紙幣搬送路を間に一対ずつ対向するように配置されている。
【００２０】
押圧ユニット６０は、本体ケース１０内に配置されるユニット本体６１と、紙幣を押圧する押圧板６２と、一端を押圧板６２に回動自在に連結された連結部材６３と、連結部材６３の他端が回動自在に連結された回転板６４と、回転板６４を回転させるモータ６５と、回転板６４にモータ６５の回転力を伝達する複数の歯車６６とから構成されている。
【００２１】
ユニット本体６１はその内部に連結部材６３、モータ６５及び各歯車６６を収容するとともに、その下部には第１の搬送ユニット３０を駆動するモータ３６及び各歯車３７を収容している。ユニット本体６１の上部及び下部には、押圧板６２を前後方向に摺動自在に係合する係合筒６１ａがそれぞれ幅方向二箇所ずつに設けられ、各係合筒６１ａはユニット本体６１に前後方向に延びるように一体に形成されている。また、ユニット本体６１の背面側には紙幣収納ユニット７０を本体ケース１０に係止するための複数の係止片６１ｂが幅方向両端の上下二箇所ずつに設けられ、各係止片６１ｂは後方に突出するとともに、その先端側が上方に屈曲するように形成されている。また、ユニット本体６１内には、押圧板６２の駆動機構（モータ６５及び各歯車６６等）を覆うカバー６１ｃと、及び第１の搬送ユニット３０の駆動機構（モータ３６及び各歯車３７）を覆うカバー６１ｄがそれぞれ取付けられている。
【００２２】
押圧板６２の前面側にはユニット本体６１の各係合筒６１ａにそれぞれ係合する複数の係合軸６２ａが設けられ、各係合軸６２ａはユニット本体６１側に向かって前後方向に延びるように押圧板６２に一体に形成されている。即ち、各係合軸６２ａは各係合筒６１ａにそれぞれ前後方向に摺動自在に挿入され、押圧板６２が各係合筒６１ａに案内されながら前後方向に移動するようになっている。また、押圧板６２の中央部には連結部材６３が連結される連結軸６２ｂが設けられている。
【００２３】
連結部材６３は一端を押圧板６２の連結軸６２ｂに回動自在に連結され、その他端側には回転板６４を連結する長孔６３ａが設けられている。
【００２４】
回転板６４はユニット本体６１に回動自在に取付けられ、その回転軸には歯車６４ａが一体に設けられている。回転板６４には回転中心から偏心した位置に連結部材６３に連結される連結部６４ｂが突設され、連結部６４ｂは連結部材６３の長孔６３ａに挿入されている。
【００２５】
モータ６５はユニット本体６１の上部に配置され、その回転軸には歯車６５ａが取付けられている。
【００２６】
各歯車６６はユニット本体６１に回動自在に支持され、大径歯車及び小径歯車を同軸状に一体に形成した周知の歯車からなる。この場合、各歯車６６、回転板６４の歯車６４ａ及びモータ６５の歯車６５ａはそれぞれ平歯車からなり、モータ６５側及び回転板６４側の何れから入力される回転力によっても回転可能になっている。
【００２７】
紙幣収納ユニット７０は、前面、背面及び上面を開口した箱状のユニット本体７１と、ユニット本体７１の背面を覆うユニットカバー７２と、ユニット本体７１内に前後方向に移動自在に設けられた紙幣支持板７３と、紙幣支持板７３をユニット本体７１の前面側に押圧するスプリング７４と、ユニット本体７１の上面開口部を開閉する開閉カバー７５とからなる。
【００２８】
ユニット本体７１の前面側には押圧ユニット６０の各係止片６１ｂをそれぞれ係止する複数の係止部７１ａが幅方向両端の上下二箇所ずつに設けられ、各係止部７１ａは幅方向に延びる板状に形成されている。
【００２９】
ユニットカバー７２はユニット本体７１に組付けられて、ユニットカバー７２の幅方向両側面の上端側には開閉カバー７５を回動自在に連結する連結部７２ａがそれぞれ設けられている。
【００３０】
紙幣支持板７３はユニット本体７１の内形よりもやや小さい平板状に形成され、押圧ユニット６０の押圧板６２に対応するように配置されている。
【００３１】
スプリング７４は、図示を簡略したコイル状のバネからなり、紙幣支持板７３とユニットカバー７２との間に圧縮状態で介装されている。この場合、スプリング７４はユニットカバー７２から紙幣支持板７３に向かって巻径が徐々に大きくなるように形成されている。
【００３２】
開閉カバー７５はユニット本体７１及びユニットカバー７２の上端側を覆うように形成され、その幅方向両側面の後端側はユニットカバー７２の各連結部７２ａに回動自在に係合している。
【００３３】
以上のように構成された紙幣識別装置によれば、投入口カバー２０の紙幣投入口２０ｂに紙幣が投入されると、第１の搬送ユニット３０のモータ３６が作動し、第１及び第２の搬送ユニット３０，４０の各ガイドローラ３２，４２によって紙幣が押圧ユニット６０と紙幣収納ユニット７０との間まで搬送される。その際、搬送される紙幣が識別部５０の各発光体５１及び各受光体５２間を通過することにより、識別部５０によって紙幣の真贋及び金種が判定される。また、押圧ユニット６０と紙幣収納ユニット７０との間に紙幣が搬送されると、押圧ユニット６０のモータ６５が作動し、押圧板６２が紙幣収納ユニット７０側に移動する。これにより、紙幣が押圧板６２によって紙幣収納ユニット７０側に押圧され、紙幣収納ユニット７０内に搬入される。その際、押圧板６２はスプリング７４に抗して紙幣支持板７３を紙幣と共に後方に移動させ、押圧板６２が待機位置に戻ると、紙幣支持板７３もスプリング７４によって紙幣と共に前方に戻る。
【００３４】
押圧板６２によって紙幣を押圧する際、押圧ユニット６０のモータ６５が回転すると、その回転力が各歯車６６を介して回転板６４に伝達され、回転板６４が所定方向に回転する。これにより、回転板６４の回転運動が連結部材６３によって押圧板６２の往復運動に変換される。その際、押圧板６２の各係合軸６２ａがユニット本体６１の各係合筒６１ａ内をそれぞれ前後方向に摺動することにより、押圧板６２が各係合筒６１ａに案内されながら紙幣支持板７３との平行状態を保持したまま前後方向に移動する。
【００３５】
また、前記紙幣識別装置において、投入口カバー２０を本体ケース１０に取付ける場合には、投入口カバー２０の各第１の係止部２１を本体ケース１０の各孔１１ｂにそれぞれ挿入することにより、投入口カバー２０の上端側を本体ケース１０に係止した後、投入口カバー２０の下端側を本体ケース１０側に押圧することにより、投入口カバー２０の各第２の係止部２２が本体ケース１０の開口部１１ａの下端縁に係止し、投入口カバー２０が本体ケース１０に保持される。その際、第２の係止部２２は、爪部２２ａの傾斜部分を開口部１１ａの縁部に接触させながら上方に弾性変形し、爪部２２ａが開口部１１ａの縁部を乗り越えると開口部１１ａの縁部に係止するようになっている。
【００３６】
また、投入口カバー２０を本体ケース１０から取外す場合には、本体ケース１０の孔１０ａに指先を挿入し、各第２の係止部２２の爪部２２ａを押上げて開口部１１ａの縁部との係止状態を解除することにより、投入口カバー２０の下端側が本体ケース１０から解放され、投入口カバー２０の各第１の係止部２１を本体ケース１０の各孔１１ｂから外すことにより、投入口カバー２０が本体ケース１０から取外される。
【００３７】
このように、本実施形態の紙幣識別装置によれば、投入口カバー２０に設けた第１及び第２の係止部２１，２２を本体ケース１０に係止することにより、投入口カバー２０を本体ケース１０に着脱自在に取付けるようにしたので、投入口カバー２０が損傷や変色を生じて交換が必要となった場合でも、工具等を用いることなく投入口カバー２０を着脱することができ、交換作業を極めて容易に行うことができる。
【００３８】
この場合、第２の係止部２２を開口部１１ａの縁部との接触によって弾性変形しながら本体ケース１０側に係止するように形成したので、第２の係止部２２を直接操作することなく投入口カバー２０を容易に取付けることができ、交換時の作業性をより一層向上させることができる。
【００３９】
また、第２の係止部２２を投入口カバー２０内に配置したので、第２の係止部２２が外部に露出することがなく、美観の向上を図ることができる。この場合、本体ケース１０には第２の係止部２２を外部から係止解除方向に操作可能な孔１０ａを設けたので、孔１０ａに指先を挿入することによって投入口カバー２０を容易に取外すことができ、交換時の作業性の向上を図ることができる。
【００４０】
更に、投入口カバー２０を取外すための孔１０ａを本体ケース１０の底面側に設けることにより、孔１０ａを介して本体ケース１０内を排水可能に構成したので、例えば屋外に設置された自動販売機に搭載されている場合など、本体ケース１０内に雨水等が侵入しても容易に排水することができ、内部機器の故障防止に効果的である。
【００４１】
また、投入口カバー２０にも投入口カバー２０内を排水可能な複数の溝２０ｃを設けたので、投入口カバー２０内に雨水等が侵入しても容易に排水することができ、前述と同様、内部機器の故障防止に効果的である。
【００４２】
更に、投入口カバー２０に紙幣の投入可否をＬＥＤの点灯及び消灯によって表示する表示部２３を設けたので、紙幣の投入可否を表示部２３によって視覚的に確認することができ、紙幣が使用可能な状態か否かを極めて容易に判断することができる。
【００４３】
尚、前記実施形態では、第２の係止部２２を外部から操作するための孔１０ａを本体ケース１０に設けたものを示したが、投入口カバー２０側に設けるようにしてもよい。
【００４４】
また、前記第２の係止部２２を外部から係止解除方向に操作可能な孔を本体ケース１０または投入口カバー２０の二箇所以上に設けるようにすれば、投入口カバー２０内の第２の係止部２２を複数の孔を介して係止解除方向に操作することができ、投入口カバー２０の着脱作業を極めて容易に行うことができる。
【００４５】
【発明の効果】
以上説明したように、請求項１の紙幣識別装置によれば、投入口部材が損傷や変色を生じて交換が必要となった場合でも、投入口部材を工具等を用いることなく着脱することができるので、交換作業を極めて容易に行うことができる。
【００４６】
また、請求項２の紙幣識別装置によれば、請求項１の効果に加え、係止部を直接操作することなく投入口部材を取付けることができるので、交換時の作業性をより一層向上させることができる。
【００４７】
また、請求項３の紙幣識別装置によれば、請求項２の効果に加え、係止部が外部に露出することがないので、美観の向上を図ることができ、しかも外部から容易に係止部の係止解除操作を行うことができるので、交換時の作業性の向上を図ることができる。
【００４８】
また、請求項４の紙幣識別装置によれば、請求項３の効果に加え、投入口部材内の係止部を複数の孔を介して係止解除方向に操作することができるので、投入口部材の着脱作業を極めて容易に行うことができる。
【００４９】
また、請求項５の紙幣識別装置によれば、請求項３または４の効果に加え、識別装置本体内に雨水等が侵入しても容易に排水することができ、内部機器の故障防止に効果的である。
【００５０】
また、請求項６の紙幣識別装置によれば、請求項１、２、３、４または５の効果に加え、投入口部材内に雨水等が侵入しても容易に排水することができ、内部機器の故障防止に効果的である。
【００５１】
また、請求項７の紙幣識別装置によれば、請求項１、２、３、４、５または６の効果に加え、紙幣の投入可否を視覚的に確認することができるので、紙幣が使用可能な状態か否かを極めて容易に判断することができる。
【図面の簡単な説明】
【図１】本発明の一実施形態を示す紙幣識別装置の斜視図
【図２】紙幣識別装置の側面断面図
【図３】本体ケース及び投入口カバーの正面側分解斜視図
【図４】本体ケース及び投入口カバーの背面側分解斜視図
【図５】本体ケース及び投入口カバーの底面側分解斜視図、
【図６】本体ケース、搬送ユニット及び押圧ユニットの正面側分解斜視図
【図７】本体ケース、搬送ユニット及び押圧ユニットの背面側分解斜視図
【図８】押圧ユニットの分解斜視図
【符号の説明】
１０…本体ケース、１０ａ…孔、２０…投入口カバー、２０ｂ…紙幣投入口、２１…第１の係止部、２２…第２の係止部、２０ｃ…溝、２３…表示部、３０…第１の搬送ユニット、４０…第２の搬送ユニット、５０…識別部、６０…押圧ユニット、７０…紙幣収納ユニット、Ａ…紙幣。
【図１】
2005010845.tif 000003
【図２】
2005010845.tif 000004
【図３】
2005010845.tif 000005
【図４】
2005010845.tif 000006
【図５】
2005010845.tif 000007
【図６】
2005010845.tif 000008
【図７】
2005010845.tif 000009
【図８】
2005010845.tif 000010